(57)【要約】球技のための練習用具（１）は、ボール自体の最適はね返りと使用上の極めて高い柔軟性とを可能にし、はね返り領域を画定するフレーム（２）と、前記フレームの地上固定手段（５）と、前記はね返り領域の上に広がる表面を画定する弾性手段（６）と、望みの傾斜にしたがった前記フレーム（２）の位置決め手段（８）とを含む。
2004508112.tif 000002
【特許請求の範囲】
【請求項１】
球技のための練習用具（１）であって、
はね返り領域を画定するフレーム（２）と、
前記フレーム（２）の地上固定手段（５）と、
前記はね返り領域の上に広がる表面を画定する弾性手段（６）と、
望みの傾斜にしたがった前記フレーム（２）の位置決め手段（８）と
を含む練習用具（１）。
【請求項２】
はね返り領域が平坦である請求項１に記載の練習用具（１）。
【請求項３】
フレーム（２）が地面に回転可能に固着されている請求項１に記載の練習用具（１）。
【請求項４】
フレーム（２）が矩形であり、一対のポスト（３）と１本のクロス・バー（４）とを含む請求項１に記載の練習用具（１）。
【請求項５】
はね返り領域が、サッカー・ゴールの形状を想起させ、これに対して縮小された寸法を有する比率の矩形を有する請求項４に記載の練習用具（１）。
【請求項６】
ポスト（３）とクロス・バー（４）が平らな表面を有する請求項４に記載の練習用具（１）。
【請求項７】
ポスト（３）とクロス・バー（４）が円形断面を有する筒形ポールによって形成されている請求項４に記載の練習用具（１）。
【請求項８】
弾性手段が前記はね返り領域上に前記弾性表面を画定するネット６を含む請求項１に記載の練習用具（１）。
【請求項９】
ネット（６）の張りが調節可能である請求項８に記載の練習用具（１）。
【請求項１０】
フレーム（２）の位置決め手段（８）が対角状に配置された一対の伸張可能なバー（９）を含む請求項１に記載の練習用具（１）。
【請求項１１】
前記伸張可能なバー（９）がポストとクロス・バーと地面とによって形成された角度でそれぞれの端部に連結されている請求項４および請求項１０に記載の練習用具（１）。
【請求項１２】
前記伸張可能なバー（９）がポストとクロス・バーと地面とによって形成された角度で蝶番（１０、１２）を通じて連結されている請求項１１に記載の練習用具（１）。
【発明の詳細な説明】
【０００１】
本発明は、単一のプレーヤが自分によって放たれたボールのはね返り効果を利用することを可能にする種類の、球技用の練習用具に関する。
【０００２】
このような用具を使用することができる多くの種類のスポーツ活動が、ボールをバットまたはスティックまたはラケットで打つスポーツから、さまざまな大きさのボールを身体の部分すなわち手、足、および頭で打つか放つ例えばサッカーなどのスポーツまで知られている。さまざまな周知の練習用具の中でも、ボールを受け止めるか打たなければならないプレーヤに向けてボールを放つ練習用具が特に知られている。通常、これらの練習用具は多数のボールを次々に放つように作られて、適当にボールの容器を備えている。全体として、この至当な機械の構造は全く複雑であり、このことが、いくつかのシュートのために同じボールを使うことができないこれらの練習用具の普及を制限している。
【０００３】
これらの機械の他に、はね返ってボールを放ったプレーヤに向かって戻ってくるようにボールが放たれて当る壁を使う、代わりの解決策がしばしば適用される。
【０００４】
例えばテニス、卓球、スカッシュなどのラケットを使用するスポーツ、およびラケットを使用しないスポーツ、すなわちほとんどサッカーにおいて、固定された壁が広く使用され、これによってプレーヤは自分たちボールへのタッチ能力を向上させることができる。
【０００５】
しかしながら、固定壁の使用は必ずしも満足されるものではない。その理由は、一方ではプレーヤへ向うボールの戻りはボールが放たれた強さに依存し、他方ではボールはボールの回転効果に依存する角度ではね返り、この角度のほとんどすべてはボールの回転方向に依存し、したがって不規則な方向または過剰の効果を有するショットまたはキックはプレーヤから離れたところにはね返り、プレーヤはボール自体を追いかけることを強いられる。
【０００６】
本発明の基礎となる技術的問題は、周知の技術を参照して上述の欠点を克服できるようにする練習用具を提供することである。前記の問題点は、
はね返り領域を画定するフレームと、
前記フレームの地上固定手段と、
上記はね返り領域の上に広がる表面を画定する弾性手段と、
望みの傾斜にしたがった前記フレームの位置決め手段と
を含む練習用具によって克服される。
【０００７】
本発明による練習用具の主な利点は、最適傾斜での練習用具の位置決めを可能にすること、および望みの方向にボールのはね返りを得ることなどである。したがって、平らな領域上で広がった表面を使用することによって、ボールが放たれたときの力を拡大するそのボールの弾性戻りを可能にし、同時に過剰な効果の望ましくない結果の少なくとも一部を排除する。
【０００８】
本発明を、好ましい実施形態にしたがってその好ましい適用のいくつかに沿って、限定されない例とともに添付の図面を参照して以下に説明する。
【０００９】
図１を参照すると、練習用具は全体として１で示されている。これは、サッカー・ゴール状の配置で一対のポスト３と１本のクロス・バー４からなる矩形のフレーム２を含む。
【００１０】
本実施形態の第１バージョンによれば、ポスト３とクロス・バー４は円形断面または多分矩形断面の筒形のさおから形成される。ポストの幅は、ボール・ショットの標的として使用することになるかまたはそうではないかによって、最大から最小にまで変わることができる。
【００１１】
ポスト３は矩形の短い側部を形成し、クロス・バー４は矩形の頂辺を形成する。
【００１２】
前記フレーム２は、クロス・バー４の側部とは反対側で地面に回転可能に固着される。これに関連して、フレーム２は、多分そりを使用するおかげで地面に打ち込み易いクランプ５を含む。
【００１３】
矩形フレーム２は、本発明においては平らであるはね返り面を画定し、弾性手段が置かれており、これは本発明では六辺形メッシュの網６であり、前記はね返り領域の上に弾性表面を画定する。
【００１４】
ポストと地面との間にはネット６が張られている。これに関して、前記ネットはポストに固定された突出杭７に固定または掛けられている。この構成は、必要な場合にはネット６を杭から外し、ネットの張りを変更するようになっている。
【００１５】
したがって、張りはネット６に対するボールのショットを鈍らせるため、または弾性戻りによって等しい速度でボールを送り返すために調節可能である。
【００１６】
前記ネット６は、高耐性の弾性ナイロン線によって形成されている。
【００１７】
さらにまた、用具１は、望みの傾斜にしたがうフレーム２の位置決め手段８を備えている。本実施形態では前記位置決め手段は、一対の伸張可能バー９を備え、これらの伸張可能バー９は、ポストとクロス・バーとによって形成された隅部（いわゆる「頂隅部」）と地面とに、それぞれの端部において対角状に配置され固定されている。
【００１８】
連結部は回転可能な形式のもので、第１蝶番１０によって作られている。
【００１９】
伸張可能バー９は、地面に対するフレーム２の傾斜を変えることによって長さを変えることができる。好ましい一例では、伸張可能バー９は入れ子式のもので、所定の傾斜に対応するレリーズにおいて変わる長さを有する。
【００２０】
全体の安定性を向上させるために、用具１は、各ポスト３の基部をそれぞれの伸張可能バー９の遠位端部に連結する地面バー１１を含む。
【００２１】
地面バー１１と伸張可能バー９との間の連結部は回転可能式であり、それぞれの第２蝶番１２によって作られている。地面バー１１とポスト基部３との間の連結部もなお第３蝶番１３を含む。
【００２２】
ある変形例によれば、地面バー１１を伸張可能にすることができる。さらに別の変形例によれば、２本のポスト３の基部を横断補剛バーによって連結することができる。また地面バー１１を、第２蝶番１２の間に延在するさらに別のバーによって連結することができる。補剛バーにはクランプ５が固定されている。
【００２３】
バー、ポスト、およびクロス・バーとの間の上に述べた連結部はすべて、練習用具１の完全な分解を可能にするために分解方式として作ることができる。
【００２４】
はね返り領域を区切る部材、ポスト３、およびクロス・バー４も、はね返り領域の張りを変えるために伸張可能にすることができる。さらにまた、はね返り領域の形状は必ずしも矩形である必要はなく、異なる数の辺さらには曲線によっても区切ることができるので、変わることができる。また、はね返り領域は必ずしも平らである必要はなく、そのさまざまな用途に応じて凹状または凸状にすることもできる。
【００２５】
固着手段は上述のクランプの他に杭やロープなどの他の固定手段を備えることができることも、理解すべきである。
【００２６】
図３ａから図３ｃまでを参照して、サッカーの練習における上述の用具の使用を以下に説明する。平らなはね返り領域の好ましい形状は、サッカー・ゴールの形状を想起させ、これに対して縮小された寸法を有する比率の矩形である。
【００２７】
サッカーに適したフレーム２のための可能な寸法の一例は、高さ２．００ｍ、幅４．００ｍ、ポストとクロス・バーの前方厚さ０．０６ｍで、この結果、はね返り領域の寸法は１．９２×３．８８＝７．４５ｍ２、高さと幅の比率は約０．５０である。
【００２８】
先に述べたように、ポストとクロス・バーの横寸法を増加させることができ、すなわちこれらの部材はプレーヤに湾曲表面ではなく平らな表面を提供することができる。
【００２９】
その他のすべての可能な使用の限定されない例として図示した３通りの練習用具使用例を以下に説明する。第１例（図３ａ）によれば、はね返り領域は垂直で、地面と共に９０°の角度を形成している。
【００３０】
この外形構成では、サッカー・プレーヤははね返り領域に対するキックを練習することになり、規則的なボールの戻りが得られる。ネットの張りを緩めることによって、サッカー・プレーヤは非常に強力にシュートしてボールの緩い戻りを得るために、近い範囲に位置することができる。一方、張りを強めることによって、ネットはボール接触において起りうる不完全さ増幅するはずで、こうしてサッカー・プレーヤは自分の技術的熟練度を高めることができる。
【００３１】
第２の使用例（図３ｂ）では、フレーム、したがってはね返り領域はプレイ側に向かってその垂直辺に対して３０°傾斜している。プレイ側については、これはプレーヤが練習のために位置する側であると理解されたい。
【００３２】
この外形構成では、ネットに向かってシュートされたボールは地面の上に打ち付けられ、ネットの所定の張りにしたがって多分弱まる。これによってシュート力すなわちプレーヤの大腿四頭筋を鍛えることができる。プレーヤが前面ではなく横に居る場合には、このプレーヤはアングル・シュートに使用される内転筋も鍛える機会を得ることになる。
【００３３】
第３の使用例では（図３ｃ）、フレーム、したがってはね返り領域は、その垂直側面に対してプレイ側から３０°傾斜している。したがって水平方向に打たれたボールは上向きにはね返る。
【００３４】
この外形構成では、ネットに対して強力に打ち、ゴールキーパーが飛びつきまたは跳躍によるゴール守備を練習できるようにする球筋を得ることが可能である。同じ種類の球筋で、サッカー・プレーヤは正確な空中シュートおよび戻り空中シュートの両方について練習することができる。上述の練習用具の構造によって可能になる柔軟性により、通常の技術的ならびに身体的練習法の他に、特定種類の練習のためにさらに別の外形構成にしたがったこの練習用具の使用が可能になることを理解されたい。
【００３５】
特に、この練習用具は、負傷したプレーヤが四股と腱の正規の運動を回復するためにネットの張りに対して行う努力を有効に利用する機会を得る、筋肉と腱のリハビリテーションにおいて有用であることが判明しよう。
【００３６】
さらにこの練習用具は、球技の指導と個人的技能の向上に特に有効であり、したがって学校およびスポーツ教習所に望ましいことが判明しよう。
【００３７】
同じ柔軟性によって、この練習用具はボールが使用されるさまざまなスポーツのための練習に適することができよう。
【００３８】
特定の要件と不測の事態に対処するために、当業者は、冒頭の特許請求の範囲に定義されたような本発明の保護範囲から逸脱することなく、上記の練習用具に対して多くのさらなる改変と変更を実施することができよう。
【図面の簡単な説明】
【図１】
本発明による練習用具の動きを示す斜視図である。
【図２ａ、図２ｂ】
図１の練習用具の詳細立面図と断面図である。
【図３ａ、図３ｂ、図３ｃ】
図１の練習用具の異なる３つの姿勢と練習用具の異なる可能な使用を示す図である。
【国際公開パンフレット】
2004508112.tif 000003
2004508112.tif 000004
2004508112.tif 000005
2004508112.tif 000006
2004508112.tif 000007
2004508112.tif 000008
2004508112.tif 000009
2004508112.tif 000010
2004508112.tif 000011
2004508112.tif 000012
2004508112.tif 000013
【手続補正書】
【提出日】平成14年9月18日(2002.9.18)
【手続補正１】
【補正対象書類名】明細書
【補正対象項目名】特許請求の範囲
【補正方法】変更
【補正の内容】
【特許請求の範囲】
【請求項１】
球技のための練習用具（１）であって、
平らなはね返り領域を画定する長方形フレーム（２）と、
前記フレーム（２）の地上固定手段（５）と、
前記はね返り領域の上に広がる表面を画定する弾性手段（６）と、
望みの傾斜にしたがった前記フレーム（２）の位置決め手段（８）と
を含む練習用具（１）であって、
前記フレーム（２）が一対のポスト（３）と１本のクロス・バーからなり、これらのポスト（３）は矩形の短辺を形成し、クロス・バー（４）は矩形の頂辺を形成すること、および前記フレーム（２）が地面に回転可能に固着されており、前記はね返り領域を垂直面に対してプレイ側の方へおよびプレイ側から３０°傾斜させることができ、フレーム（２）の前記位置決め手段（８）は一対の伸張可能なバー（９）を含み、これらのバーは、前記プレイ側とは反対側に対角状に配置されて、それぞれの端部において、ポスト（３）とクロス・バー（４）によって形成されたフレーム頂隅部に、および地面に連結されていることを特徴とする練習用具（１）。
【請求項２】
はね返り領域が、サッカー・ゴールの形状を想起させ、これに対して縮小された寸法を有する比率の矩形を有する請求項１に記載の練習用具（１）。
【請求項３】
ポスト（３）とクロス・バー（４）が平らな表面を有する請求項１に記載の練習用具（１）。
【請求項４】
ポスト（３）とクロス・バー（４）が円形断面を有する筒形ポールによって形成されている請求項１に記載の練習用具（１）。
【請求項５】
弾性手段が前記はね返り領域上に前記弾性表面を画定するネット６を含む請求項１に記載の練習用具（１）。
【請求項６】
ネット（６）の張りが調節可能である請求項５に記載の練習用具（１）。
【請求項７】
前記伸張可能バー（９）がポスト（３）とクロス・バー（４）によって形成されたフレーム頂隅部に、および蝶番（１０、１２）を通じて地面に連結されている請求項１に記載の練習用具（１）。
【請求項８】
球技の練習および／または実技のための上記請求項のいずれか一項に記載の練習用具（１）の使用。
【請求項９】
前記球技がサッカーである請求項８に記載の練習用具（１）の使用。
【手続補正２】
【補正対象書類名】明細書
【補正対象項目名】０００６
【補正方法】変更
【補正の内容】
【０００６】
この点について、ＵＳ−Ａ−５８３３２３４（Ｖａｖａｌａ他）、ＵＳ−Ａ−５７７２５３７（Ａｎｄｅｒｓｏｎ他）、ＥＰ−Ａ−００１４１３３（Ｃｈｅｆｔｅｌ）、およびＵＳ−Ａ−２９４４８１６（Ｄｉｘｏｎ）は、不規則なはね返りが、はね返り領域の正しくない傾斜と前記はね返り領域を輪郭付ける四辺フレームの存在によって生ずることがある、はね返し装置を開示している。
本発明の基礎となる技術的問題は、周知の技術を参照して上述の欠点を克服できるようにする練習用具を提供することである。前記の問題点は、
平坦なはね返り領域を画定する矩形フレームと、
はね返り領域を画定するフレームと、
前記フレームの地上固定手段と、
上記はね返り領域の上に広がる表面を画定する弾性手段と、
望みの傾斜にしたがった前記フレームの位置決め手段と
を含む練習用具であって、
前記フレームが一対のポストと１本のクロス・バーからなり、これらのポストは矩形の短辺を形成し、クロス・バーは矩形の頂辺を形成すること、および前記フレームが地面に回転可能に固着されており、前記はね返り領域を垂直面に対してプレイ側の方へおよびプレイ側から３０°傾斜させることができ、
フレームの前記位置決め手段は一対の伸張可能なバーを含み、これらのバーは、前記プレイ側とは反対側に対角状に配置されて、それぞれの端部において、ポストとクロス・バーによって形成されたフレーム頂隅部に、および地面に連結されていることを特徴とする練習用具によって克服される。


【手続補正３】
【補正対象書類名】明細書
【補正対象項目名】０００７
【補正方法】変更
【補正の内容】
【０００７】
本発明による練習用具の主な利点は、最適傾斜での練習用具の位置決めを可能にすること、および望みの方向にボールのはね返りを得ることなどである。したがって、平らな領域上で広がった表面を使用することによって、ボールが放たれたときの力を拡大するそのボールの弾性戻りを可能にし、同時に過剰な効果の望ましくない結果の少なくとも一部を排除する。
本発明はまた、先に定義された練習用具を球技特にサッカーの練習および／または実技のために使用することにも関する。




【国際調査報告】
2004508112.tif 000014
2004508112.tif 000015